(57)【要約】【課題】インターネットのような広域通信システムにおいて、広告供給者が望む供給地域と広告受給者が望む受給地域を考慮した広告配信装置を得ること。【解決手段】広告配信サーバ１０１は、供給者端末より受信した広告データと供給希望地域とを対応させて記憶しておき、受給者端末から受給希望地域を受信すると、当該受給希望地域と同じ地域を示す供給地域に対応する広告データを抽出して、広告データを受給者端末へ配信する。これによって、供給希望地域と受給希望地域の一致によって広告データを配信できる。【選択図】　図１
2004062576.tif 000002
【特許請求の範囲】
【請求項１】
供給者端末より受信した広告データを受給者端末へ配信する広告配信装置であって、
供給者端末より受信した広告データと供給希望地域とを対応させて記憶する記憶手段と、
受給者端末から受給希望地域を受信すると、当該受給希望地域と同じ地域を示す供給地域に対応する広告データを前記記憶手段から抽出する広告抽出手段と、
前記広告抽出手段により抽出した広告データを受給者端末へ配信する広告配信手段と、を有することを特徴とする広告配信装置。
【請求項２】
供給者端末より受信した広告データを受給者端末へ配信する広告配信装置であって、
供給者端末より受信した広告データと供給希望地域とを対応させて記憶する記憶手段と、
受給者端末より受信した受給希望地域を受給者識別情報と対応させて記憶する第２の記憶手段と、
受給者端末より受給者識別情報を受信すると、当該受給会員識別情報に基づいて前記第２の記憶手段を検索し、受給地域を抽出する受給地域抽出手段と、
前記受給地域抽出手段により抽出した受給地域と同じ地域を示す供給地域に対応する広告データを前記記憶手段から抽出する広告抽出手段と、
前記広告抽出手段により抽出した広告データを受給者端末へ配信する広告配信手段と、を有することを特徴とする広告配信装置。
【請求項３】
供給者端末より受信した広告データを受給者端末へ配信する広告配信装置であって、
供給者端末より受信した広告データと供給希望地域とを対応させて記憶する記憶手段と、
受給者端末より受信した受給希望地域、要望情報を受給者識別情報と対応させて記憶する第２の記憶手段と、
受給者端末より受給者識別情報を受信すると、当該受給会員識別情報に基づいて前記第２の記憶手段を検索し、受給地域と要望情報を抽出する抽出手段と、
前記抽出手段から抽出した受給地域と同じ地域を示す供給地域に対応する広告データで、且つ要望情報の要望を満たす広告データを前記記憶手段から抽出する広告抽出手段と、
前記広告抽出手段により抽出した広告データを受給者端末へ配信する広告配信手段と、を有することを特徴とする広告配信装置。
【請求項４】
供給者端末より受信した広告データを受給者端末へ配信する広告配信装置であって、
供給者端末より受信した広告データと供給希望地域とを対応させて記憶する記憶手段と、
受給者端末より受信した受給希望地域と受給者ＩＰアドレスを対応させて記憶する第２の記憶手段と、
供給者端末より受信した供給希望地域と同じ地域を示す受給地域に対応する受給者ＩＰアドレスを前記第２の記憶手段から抽出するＩＰアドレス抽出手段と、前記ＩＰアドレス抽出手段により抽出した受給者ＩＰアドレスに対し、前記記憶手段の供給希望地域に対応する広告データを配信する広告配信手段と、
を有することを特徴とする広告配信装置。
【請求項５】
供給者端末より受信した広告データを受給者端末へ配信する広告配信装置であって、
管理者より設定される広告配信条件を記憶する配信条件記憶手段と、
供給者端末より受信した広告データと供給希望地域とを対応させて記憶する記憶手段と、
受給者端末より受信した受給希望地域を受給者識別情報と対応させて記憶する第２の記憶手段と、
広告配信要求を受信すると、前記配信条件記憶手段に記憶された広告配信条件を満たすか否かを判断する配信条件判断手段と、
前記配信条件判断手段により広告配信条件を満たすと判断した場合、前記第２の記憶手段から受給希望地域を抽出する受給地域抽出手段と、
前記受給地域抽出手段から抽出した受給希望地域と同じ地域を示す供給地域に対応する広告データを前記記憶手段から抽出する広告抽出手段と、
前記広告抽出手段により抽出した広告データを受給者端末へ配信する広告配信手段と、を有することを特徴とする広告配信装置。
【請求項６】
供給者端末より受信した広告データを受給者端末へ配信する広告配信装置であって、
供給者端末より受信した広告データと供給希望地域とを対応させて記憶する記憶手段と、
受給者端末より受信した受給希望地域、広告受給条件を受給者識別情報と対応させて記憶する第２の記憶手段と、
供給者端末より広告データの登録があると、当該登録された広告データの供給希望地域と一致する受給希望地域を有する受給者識別情報を前記第２の記憶手段から抽出する会員抽出手段と、
前記会員抽出手段により抽出された受給者の広告受給条件が前記登録された広告データに当てはまるか否かを判断する配信条件判断手段と、
前記配信条件判断手段により当てはまると判断された受給者の受給者端末に対して前記登録された広告データを配信する広告配信手段と、を有することを特徴とする広告配信装置。
【請求項７】
供給者端末より受信した広告データを受給者端末へ配信する広告配信装置であって、
供給者端末より受信した広告データ、供給希望地域、広告供給条件を対応させて記憶する記憶手段と、
受給者端末より受信した受給希望地域、要望情報を受給者識別情報と対応させて記憶する第２の記憶手段と、
供給者端末より広告データの登録があると、当該登録された広告データの供給希望地域と一致する受給希望地域を有する受給者識別情報を前記第２の記憶手段から抽出する会員抽出手段と、
前記登録された広告データが、当該登録データの供給者の広告供給条件に当てはまるか否かを判断する配信条件判断手段と、
前記配信条件判断手段により当てはまると判断された場合、前記会員抽出手段で抽出された受給者の受給者端末に対して前記登録された広告データを配信する広告配信手段と、を有することを特徴とする広告配信装置。
【請求項８】
前記広告配信手段により受給者端末へ広告データが配信される毎に、当該広告データの供給者への課金処理を行う課金手段を有することを特徴とする請求項１乃至７記載の広告配信装置。
【発明の詳細な説明】
【０００１】
【発明の属する技術分野】
本発明は、インターネットのような広域通信ネットワークにおいて、地域に特化した広告データを配信する広告配信装置に関するものである。
【０００２】
【従来の技術】
インターネットを利用した広告配信として、Ｅ（電子）メールやＷＷＷ（Ｗｏｒｌｄ　Ｗｉｄｅ　Ｗｅｂ）による広告配信が知られている。Ｅメールを利用した広告配信では、Ｅメールの本文の前や後などに広告が挿入されている。また、ＷＷＷを利用した広告配信では、ＷＥＢページにバーナーと呼ばれる広告を挿入したり、広告用のウィンドウを画面に表示させたりする。
【０００３】
【発明が解決しようとする課題】
しかしながら、インターネットのような広域通信ネットワークを利用した広告配信は、利用者の居住地とは無関係に配信されているので、特定地域の広告を望む利用者の期待に応えられていない。
【０００４】
本発明は、インターネットのような広域通信ネットワークにおいて、広告供給者が望む供給地域と広告受給者が望む受給地域を考慮した広告配信装置を提供することを目的とする。
【０００５】
【課題を解決するための手段】
この課題を解決するために本発明は、供給者端末より受信した広告データを受給者端末へ配信する広告配信装置であって、供給者端末より受信した広告データと供給希望地域とを対応させて記憶する記憶手段と、受給者端末から受給希望地域を受信すると、当該受給希望地域と同じ地域を示す供給地域に対応する広告データを記憶手段から抽出する広告抽出手段と、広告抽出手段により抽出した広告データを受給者端末へ配信する広告配信手段と、を有する構成とした。
【０００６】
これにより、インターネットのような広域通信ネットワークにおいて、広告供給者が望む供給地域と広告受給者が望む受給地域を考慮した広告配信装置が得られる。
【０００７】
【発明の実施の形態】
本発明の請求項１に係る発明は、供給者端末より受信した広告データを受給者端末へ配信する広告配信装置であって、供給者端末より受信した広告データと供給希望地域とを対応させて記憶する記憶手段と、受給者端末から受給希望地域を受信すると、当該受給希望地域と同じ地域を示す供給地域に対応する広告データを前記記憶手段から抽出する広告抽出手段と、広告抽出手段により抽出した広告データを受給者端末へ配信する広告配信手段と、を有する構成としたことにより、広告供給者が望む広告供給地域と広告受給者が望む広告受給地域の一致によって広告データを配信することができる。
【０００８】
本発明の請求項２に係る発明は、供給者端末より受信した広告データを受給者端末へ配信する広告配信装置であって、供給者端末より受信した広告データと供給希望地域とを対応させて記憶する記憶手段と、受給者端末より受信した受給希望地域を受給者識別情報と対応させて記憶する第２の記憶手段と、受給者端末より受給者識別情報を受信すると、当該受給会員識別情報に基づいて第２の記憶手段を検索し、受給地域を抽出する受給地域抽出手段と、受給地域抽出手段により抽出した受給地域と同じ地域を示す供給地域に対応する広告データを前記記憶手段から抽出する広告抽出手段と、広告抽出手段により抽出した広告データを受給者端末へ配信する広告配信手段と、を有する構成としたことにより、広告受給者の希望する地域を記憶でき、広告要求時に受給者は受給希望地域を入力する必要が無い。
【０００９】
本発明の請求項３に係る発明は、供給者端末より受信した広告データを受給者端末へ配信する広告配信装置であって、供給者端末より受信した広告データと供給希望地域とを対応させて記憶する記憶手段と、受給者端末より受信した受給希望地域、要望情報を受給者識別情報と対応させて記憶する第２の記憶手段と、受給者端末より受給者識別情報を受信すると、当該受給会員識別情報に基づいて第２の記憶手段を検索し、受給地域と要望情報を抽出する抽出手段と、抽出手段から抽出した受給地域と同じ地域を示す供給地域に対応する広告データで、且つ要望情報の要望を満たす広告データを前記記憶手段から抽出する広告抽出手段と、広告抽出手段により抽出した広告データを受給者端末へ配信する広告配信手段と、を有する構成としたことにより、地域だけでなく広告受給者の要望にマッチした広告を配信することができる。
【００１０】
本発明の請求項４に係る発明は、供給者端末より受信した広告データを受給者端末へ配信する広告配信装置であって、供給者端末より受信した広告データと供給希望地域とを対応させて記憶する記憶手段と、受給者端末より受信した受給希望地域と受給者ＩＰアドレスを対応させて記憶する第２の記憶手段と、供給者端末より受信した供給希望地域と同じ地域を示す受給地域に対応する受給者ＩＰアドレスを第２の記憶手段から抽出するＩＰアドレス抽出手段と、ＩＰアドレス抽出手段により抽出した受給者ＩＰアドレスに対し、記憶手段の供給希望地域に対応する広告データを配信する広告配信手段と、を有する構成としたことにより、受給者の要求ではなく、広告供給者が広告を登録すると受給者の希望する地域の広告を配信することができる。
【００１１】
本発明の請求項５に係る発明は、供給者端末より受信した広告データを受給者端末へ配信する広告配信装置であって、管理者より設定される広告配信条件を記憶する配信条件記憶手段と、供給者端末より受信した広告データと供給希望地域とを対応させて記憶する記憶手段と、受給者端末より受信した受給希望地域を受給者識別情報と対応させて記憶する第２の記憶手段と、広告配信要求を受信すると、配信条件記憶手段に記憶された広告配信条件を満たすか否かを判断する配信条件判断手段と、配信条件判断手段により広告配信条件を満たすと判断した場合、第２の記憶手段から受給希望地域を抽出する受給地域抽出手段と、受給地域抽出手段から抽出した受給希望地域と同じ地域を示す供給地域に対応する広告データを記憶手段から抽出する広告抽出手段と、広告抽出手段により抽出した広告データを受給者端末へ配信する広告配信手段と、を有する構成としたことにより、管理者の設定に基づく広告データの配信を行うことができる。
【００１２】
本発明の請求項６に係る発明は、供給者端末より受信した広告データを受給者端末へ配信する広告配信装置であって、供給者端末より受信した広告データと供給希望地域とを対応させて記憶する記憶手段と、受給者端末より受信した受給希望地域、広告受給条件を受給者識別情報と対応させて記憶する第２の記憶手段と、供給者端末より広告データの登録があると、当該登録された広告データの供給希望地域と一致する受給希望地域を有する受給者識別情報を前記第２の記憶手段から抽出する会員抽出手段と、会員抽出手段により抽出された受給者の広告受給条件が登録された広告データに当てはまるか否かを判断する配信条件判断手段と、配信条件判断手段により当てはまると判断された受給者の受給者端末に対して登録された広告データを配信する広告配信手段と、を有する構成としたことにより、受給者からの要求なしで広告データを配信するに当たって、予め受給者が設定した広告受給条件を元に配信するかどうかを決定することができる。
【００１３】
本発明の請求項７に係る発明は、供給者端末より受信した広告データを受給者端末へ配信する広告配信装置であって、供給者端末より受信した広告データ、供給希望地域、広告供給条件を対応させて記憶する記憶手段と、受給者端末より受信した受給希望地域、要望情報を受給者識別情報と対応させて記憶する第２の記憶手段と、供給者端末より広告データの登録があると、当該登録された広告データの供給希望地域と一致する受給希望地域を有する受給者識別情報を前記第２の記憶手段から抽出する会員抽出手段と、登録された広告データが、当該登録データの供給者の広告供給条件に当てはまるか否かを判断する配信条件判断手段と、配信条件判断手段により当てはまると判断された場合、会員抽出手段で抽出された受給者の受給者端末に対して登録された広告データを配信する広告配信手段と、を有する構成としたことにより、広告データの配信に際して、広告供給者が設定した広告供給条件元に配信するかどうかを決定することができる。
【００１４】
本発明の請求項８に係る発明は、請求項１乃至７に係る発明において、広告配信手段により受給者端末へ広告データが配信される毎に、当該広告データの供給者への課金処理を行う課金手段を有する構成としたことにより、広告の配信数に対し広告料の請求を行うことができる。
【００１５】
以下、本発明の実施の形態について図面を参照しながら説明する。
【００１６】
（実施の形態１）
本発明の実施の形態１について説明する。
【００１７】
図１は、本発明の実施の形態１における広告配信システムの構成図である。図示はしていないが、広告配信サーバ１０１は、インターネットのような広域通信ネットワークによって広告供給者の供給者端末、広告受給者の受給者端末と接続されている。
【００１８】
また、広告配信サーバ１０１は、各種制御プログラムを実行するコンピュータ装置によって本発明を実現することができる。
【００１９】
図１において、１は、広告供給者の広告供給要求に対するインターフェースを供給者端末に提供する供給者受付手段である。
【００２０】
７は、供給者受付手段１において対応させられた広告データと供給希望地域を保存する供給地域−広告データ対応データベースである。
【００２１】
２０は、供給者受付手段１により登録を受付けた広告供給者に対し、広告料を集金する広告料集金手段である。
【００２２】
２は、広告受給者の広告受給要求に対するインターフェースを受給者端末に提供する受給者受付手段である。
【００２３】
１３は、受給者受付手段２により受付けた受給希望地域と同じ地域を示す供給地域に対応する広告データを供給地域−広告データ対応データベースから抽出する広告抽出手段である。
【００２４】
１８は、広告受給者の広告受給要求に対して、広告抽出手段１３により抽出した広告データを受給者端末に配信する広告配信手段である。
【００２５】
以上のように構成された広告配信システムの動作について図２を用いて説明する。
【００２６】
図２は、本発明の実施の形態１における広告配信システムの動作フローチャートである。
【００２７】
まず、図２（ａ）を用いて広告供給者の供給者端末からのアクセスに対する広告配信サーバ１０１の動作について説明する。
【００２８】
ステップ１−１：広告供給者は供給者端末を介して広告配信サーバ１０１にアクセスする。
【００２９】
ステップ１−２：供給者端末からのアクセスに対し、広告配信サーバ１０１は、図３に示す要求選択画面を供給者端末に出力する。
【００３０】
ステップ１−３：広告供給者は、供給者端末の要求選択画面より「広告供給要求」を選択する。
【００３１】
ステップ１−４：供給者端末の要求選択画面において「広告供給要求」が選択されると、広告配信サーバ１０１の供給者受付手段１は、供給者端末に対し図４に示す広告供給要求画面を出力する。
【００３２】
ステップ１−５：広告供給者は、供給者端末の広告供給要求画面より供給地域、広告データ、クレジット番号を入力する。
【００３３】
ステップ１−６：広告配信サーバ１０１の供給者受付手段１は、広告供給要求画面より入力された供給地域と広告データを対応させて供給地域−広告データ対応データベース７に保存する。
【００３４】
ステップ１−７：供給者受付手段１より供給地域−広告データ対応データベース７にデータ保存が終了すると、広告配信サーバ１０１の広告料集金手段２０は、広告供給要求画面において入力したクレジット番号に対して、広告供給者への広告料の集金処理を行う。なお、広告料を、広告データのデータ量や供給地域の広さに応じて可変に設定することも可能である。
【００３５】
次に、図２（ｂ）を用いて広告受給者の受給者端末からのアクセスに対する広告配信サーバ１０１の動作について説明する。
【００３６】
ステップ１−８：広告受給者は受給者端末を介して広告配信サーバ１０１にアクセスする。
【００３７】
ステップ１−９：受給者端末からのアクセスに対し、広告配信サーバ１０１は、図３に示す要求選択画面を受給者端末に出力する。
【００３８】
ステップ１−１０：広告受給者は、受給者端末の要求選択画面より「広告受給要求」を選択する。
【００３９】
ステップ１−１１：受給者端末の要求選択画面において「広告受給要求」が選択されると、広告配信サーバ１０１の受給者受付手段２は、受給者端末に対し図５に示す広告受給要求画面を出力する。
【００４０】
ステップ１−１２：広告受給者は、受給者端末の広告受給要求画面より受給地域を入力する。
【００４１】
ステップ１−１３：広告配信サーバ１０１の広告抽出手段１３は、広告受給者によって入力された受給地域と同じ地域に対応する広告データを供給地域−広告データ対応データベース７から抽出する。
【００４２】
ステップ１−１４：広告配信サーバの広告配信手段１８は、抽出した広告データを受給者端末へ配信する。
【００４３】
以上のように本実施の形態によれば、広告供給者が望む広告供給地域と、広告受給者が望む広告受給地域の一致によって広告データを配信するので、インターネットのような広域システムであっても、地域性を考慮した広告配信システムを実現できる。
【００４４】
（実施の形態２）
本発明の実施の形態２について説明する。
【００４５】
図６は、本発明の実施の形態２における広告配信システムの構成図であり、広告配信サーバ１０２の構成について説明する。なお、図示していないが広告配信サーバ１０２は、広告供給者の使用する供給者端末、広告受給者の使用する受給者端末とインターネット等の広域通信ネットワークによって接続されている。
【００４６】
図６において、１は、広告供給者の広告供給要求に対するインターフェースを供給者端末に提供する供給者受付手段である。
【００４７】
７は、供給者受付手段１により指定された広告データと供給希望地域とを対応させて保存する供給地域−広告データ対応データベースである。
【００４８】
２０は、供給者受付手段１により登録を受付けた広告供給者に対し、広告料を集金する広告料集金手段である。
【００４９】
２は、広告受給者の広告受給要求、受給会員登録要求に対するインターフェースを受給者端末に提供する受給者受付手段である。
【００５０】
８は、受給者受付手段２による受給会員登録要求において、受給会員ＩＤと受給希望地域を対応させて保存する受給会員ＩＤ−受給地域対応データベースである。
【００５１】
１５は、受給者受付手段２による広告受給要求より、受給会員ＩＤ−受給地域対応データベース８から受給地域を抽出する受給地域抽出手段である。
【００５２】
１３は、受給地域抽出手段１５から抽出した受給地域と同じ地域を示す供給地域に対応する広告データを供給地域−広告データ対応データベース７から抽出する広告抽出手段１３である。
【００５３】
１８は、広告受給者の広告受給要求に対して、広告抽出手段１３により抽出した広告データを受給者端末に配信する広告配信手段である。
【００５４】
以上のように構成された広告配信システムの動作について図７を用いて説明する。
【００５５】
図７は、本発明の実施の形態２における広告配信システムの動作フローチャートである。
【００５６】
まず、図７（ａ）を用いて広告供給者の供給者端末からのアクセスに対する広告配信サーバ１０２の動作について説明する。
【００５７】
ステップ２−１：広告供給者は供給者端末を介して広告配信サーバ１０２にアクセスする。
【００５８】
ステップ２−２：供給者端末からのアクセスに対し、広告配信サーバ１０２は、図８に示す要求選択画面を供給者端末に出力する。
【００５９】
ステップ２−３：広告供給者は、供給者端末の要求選択画面より「広告供給要求」を選択する。
【００６０】
ステップ２−４：供給者端末の要求選択画面において「広告供給要求」が選択されると、広告配信サーバ１０２の供給者受付手段１は、供給者端末に対し図９に示す広告供給要求画面を出力する。
【００６１】
ステップ２−５：広告供給者は、供給者端末の広告供給要求画面より供給地域、広告データ、クレジット番号を入力する。
【００６２】
ステップ２−６：広告配信サーバ１０２の供給者受付手段１は、広告供給要求画面より入力された供給地域と広告データを対応させて供給地域−広告データ対応データベース７に保存する。
【００６３】
ステップ２−７：供給者受付手段１より供給地域−広告データ対応データベース７にデータ保存が終了すると、広告配信サーバ１０２の広告料集金手段２０は、広告供給要求画面において入力したクレジット番号に基づき、広告料の集金処理を行う。
【００６４】
次に、図７（ｂ）を用いて広告受給者の受給者端末からのアクセスに対する広告配信サーバ１０２の動作について説明する。
【００６５】
ステップ２−８：広告受給者は受給者端末を介して広告配信サーバ１０２にアクセスする。
【００６６】
ステップ２−９：広告配信サーバ１０２は、受給者端末に要求選択画面を出力する。
【００６７】
ステップ２−１０：広告受給者は、受給会員登録が未登録であれば、受給者端末の要求選択画面において「受給会員登録要求」を選択する。さもなければ、要求選択画面において「広告受給要求」を選択する。
【００６８】
ステップ２−１１：受給者端末の要求選択画面において「受給会員登録要求」が選択されると、広告配信サーバ１０２の受給者受付手段２は、受給者端末に対し図１０に示す受給会員登録要求画面を出力する。
【００６９】
ステップ２−１２：広告受給者は、受給者端末の受給会員登録要求画面より希望会員ＩＤと受給地域を入力する。
【００７０】
ステップ２−１３：広告配信サーバ１０２の受給者受付手段２は、受給会員登録要求画面より入力された会員ＩＤと受給地域を対応させて受給会員ＩＤ−受給地域対応データベース８に保存する。
【００７１】
ステップ２−１４：受給者端末の要求選択画面において「広告受給要求」が選択されると、広告配信サーバ１０２の受給者受付手段２は、受給者端末に対し図１１に示す広告受給要求画面を出力する。
【００７２】
ステップ２−１５：広告受給者は、受給者端末の広告受給要求画面より受給会員ＩＤを入力する。
【００７３】
ステップ２−１６：広告配信サーバ１０２の受給地域抽出手段１５は、広告受給者によって登録された受給会員ＩＤに対応する受給地域を受給会員ＩＤ−受給地域対応データベース８から抽出する。
【００７４】
ステップ２−１７：広告配信サーバ１０２の広告抽出手段１３は、受給地域抽出手段１５で抽出した受給地域と同じ地域に対応する広告データを供給地域−広告データ対応データベース７から抽出する。
【００７５】
ステップ２−１８：広告配信サーバ１０２の広告配信手段１８は、抽出した広告データを受給者端末へ配信する。
【００７６】
以上のように本実施の形態によれば、受給会員ＩＤ−受給地域対応データベース８によって、広告受給者の希望する地域を記憶しておくので、実施の形態１と比べ、広告受給者が広告要求時に希望広告地域を入力する作業が不要となる。
【００７７】
（実施の形態３）
本発明の実施の形態３について説明する。
【００７８】
図１２は本発明の実施の形態３における広告配信システムの構成図であり、広告配信サーバ１０３の構成について説明する。なお、図示していないが広告配信サーバ１０３は、広告供給者の使用する供給者端末、広告受給者の使用する受給者端末とインターネット等の広域通信ネットワークによって接続されている。
【００７９】
図１２において、１は、広告供給者の広告供給要求、供給会員登録要求に対するインターフェースを供給者端末に提供する供給者受付手段である。
【００８０】
３は、供給者受付手段１において指定された各データを保存する供給会員データベースである。
【００８１】
２０は、供給者受付手段１により受付けた広告供給者に対し、広告料を集金する広告料集金手段である。
【００８２】
２は、広告受給者の広告受給要求、受給会員登録要求に対するインターフェースを受給者端末に提供する受給者受付手段である。
【００８３】
５は、受給者受付手段２による受給会員登録要求において、各入力データを保存する受給会員データベースである。
【００８４】
１５は、受給者受付手段２による広告受給要求より、受給会員データベース５から受給地域を抽出する受給地域抽出手段である。
【００８５】
１４は、受給会員データベース５から広告に関する要望を抽出する受給者要望抽出手段である。
【００８６】
１３は、受給地域抽出手段１５から抽出した受給地域と同じ地域を示す供給地域に対応する広告データで、かつ、受給者要望抽出手段１４より抽出した要望を満たす広告データを供給会員データベース３から抽出する広告抽出手段である。
【００８７】
１８は、広告受給者の広告受給要求に対して、広告抽出手段１３により抽出した広告データを配信する広告配信手段１８である。
【００８８】
以上のように構成された広告配信システムの動作について図１３を用いて説明する。
【００８９】
図１３は、本発明の実施に形態３における広告配信システムの動作フローチャートである。
【００９０】
まず、図１３（ａ）を用いて広告供給者の供給者端末からのアクセスに対する広告配信サーバ１０３の動作について説明する。
【００９１】
ステップ３−１：広告供給者は供給者端末を介して広告配信サーバにアクセスする。
【００９２】
ステップ３−２：広告配信サーバ１０３は、図１４に示す要求選択画面を供給者端末に出力する。
【００９３】
ステップ３−３：広告供給者は、供給会員登録が未登録であれば、供給者端末の要求選択画面において「供給会員登録要求」を選択する。さもなければ、要求選択画面において「広告供給要求」を選択する。
【００９４】
ステップ３−４：供給者端末の要求選択画面において「供給会員登録要求」が選択されると、広告配信サーバ１０３の供給者受付手段１は、供給者端末に対し図１５に示す供給会員登録要求画面を出力する。
【００９５】
ステップ３−５：広告供給者は、供給者端末の供給会員登録要求画面より希望会員ＩＤ、供給地域、広告種別、営業時間、クレジット番号を入力する。
【００９６】
ステップ３−６：広告配信サーバ１０３の供給者受付手段１は、供給会員登録要求画面より入力された会員ＩＤ、供給地域、広告種別、営業時間、クレジット番号を供給会員データベース３に保存する。
【００９７】
ステップ３−７：供給者端末の要求選択画面において「広告供給要求」が選択されると、広告配信サーバ１０３の供給者受付手段１は、供給者端末に対し図１６に示す広告供給要求画面を出力する。
【００９８】
ステップ３−８：広告供給者は、広告供給要求画面より供給会員ＩＤと広告データを入力する。
【００９９】
ステップ３−９：広告配信サーバ１０３の供給者受付手段１は、広告供給要求画面より入力された広告データを供給会員データベース３に保存する。
【０１００】
ステップ３−１０：供給者受付手段１により供給会員データベース３にデータ保存が終了すると、広告配信サーバ１０３の広告料集金手段２０は、供給会員データベース３に保存されている供給者のクレジット番号に基づいて広告料の集金処理を行う。
【０１０１】
次に、図１３（ｂ）を用いて広告受給者の受給者端末からのアクセスに対する広告配信サーバ１０３の動作について説明する。
【０１０２】
ステップ３−１１：広告受給者は受給者端末を介して広告配信サーバ１０３にアクセスする。
【０１０３】
ステップ３−１２：広告配信サーバ１０３は、受給者端末に要求選択画面を出力する。
【０１０４】
ステップ３−１３：広告受給者は、受給会員登録が未登録であれば、要求選択画面において「受給会員登録要求」を選択する。さもなければ、要求選択画面において「広告受給要求」を選択する。
【０１０５】
ステップ３−１４：受給者端末の要求選択画面において「受給会員登録要求」が選択されると、広告配信サーバ１０３の受給者受付手段２は、受給者端末に対し図１７に示す受給会員登録要求画面を出力する。
【０１０６】
ステップ３−１５：広告受給者は、受給者端末の受給会員登録要求画面より希望会員ＩＤ、受給地域、広告種別、営業時間を入力する。
【０１０７】
ステップ３−１６：広告配信サーバ１０３の受給者受付手段２は、受給会員登録要求画面において入力された会員ＩＤや各データを対応させて受給会員データベース５に保存する。
【０１０８】
ステップ３−１７：受給者端末の要求選択画面において「広告受給要求」が選択されると、広告配信サーバ１０３の受給者受付手段２は、広告受給者に対し図１１に示す広告受給要求画面を出力する。
【０１０９】
ステップ３−１８：広告受給者は、広告受給要求画面において受給会員ＩＤを入力する。
【０１１０】
ステップ３−１９：広告配信サーバ１０３の受給地域抽出手段１５は、広告受給者によって入力された受給会員ＩＤに対応する受給地域を受給会員データベース５に保存する。
【０１１１】
ステップ３−２０：広告配信サーバの受給者要望抽出手段１４は、広告受給者によって入力された受給会員ＩＤに対応する受給者要望（広告種別や営業時間等）を受給会員データベース５から抽出する。
【０１１２】
ステップ３−２１：広告配信サーバ１０３の広告抽出手段１３は、供給会員データベース３に保存している広告データで、受給地域抽出手段１５で抽出した受給地域と同じ地域を示す供給地域に対応する広告データ、かつ、受給者要望抽出手段１５で抽出した受給者要望を満たす広告データを抽出する。
【０１１３】
ステップ３−２２：広告配信サーバ１３３の広告配信手段１８は、抽出した広告データを受給者端末へ配信する。
【０１１４】
以上のように本実施の形態によれば、受給会員データベース５に、広告に対する受給者の要望を保存することで、地域だけでなく、利用者の興味に則した広告の配信を行うことができる広告供給者に対する広告受給者の要望にマッチした広告を配信することができる。
【０１１５】
（実施の形態４）
本発明の実施の形態４について説明する。
【０１１６】
図１８は、本発明の実施の形態４における広告配信システムの構成図であり、広告配信サーバ１０４の構成について説明する。なお、図示していないが広告配信サーバ１０４は、広告供給者の使用する供給者端末、広告受給者の使用する受給者端末とインターネット等の広域通信ネットワークによって接続されている。
【０１１７】
図１８において、２は、広告受給者の受給会員登録要求に対するインターフェースを受給者端末に提供する受給者受付手段である。
【０１１８】
９は、受給者受付手段２により受付けた受給希望地域と受給者ＩＰアドレスを対応させて保存する受給地域−ＩＰアドレス対応データベースである。
【０１１９】
１は、広告供給者の広告供給要求に対するインターフェースを供給者端末に提供する供給者受付手段１である。
【０１２０】
１１は、供給者受付手段１により受付けた供給希望地域と同じ地域を示す受給地域に対応するＩＰアドレスを受給地域−ＩＰアドレス対応データベースから抽出するＩＰアドレス抽出手段である。
【０１２１】
１８は、ＩＰアドレス抽出手段１１により抽出したＩＰアドレスに対し、供給者受付手段１により受付けた広告データを配信する広告配信手段である。
【０１２２】
２０は、供給者受付手段１により登録を受付けた広告供給者に対し、広告料を集金する広告料集金手段である。
【０１２３】
以上のように構成された広告配信システムの動作について図１９を用いて説明する。
【０１２４】
図１９は、本発明の実施の形態４における広告配信システムの動作フローチャートである。
【０１２５】
まず、図１９（ａ）を用いて広告受給者の受給者端末からのアクセスに対する広告配信サーバ１０４の動作について説明する。
【０１２６】
ステップ４−１：広告受給者は受給者端末を介して広告配信サーバにアクセスする。
【０１２７】
ステップ４−２：受給者端末からのアクセスに対し、広告配信サーバ１０４は、図２０に示す要求選択画面を受給者端末に出力する。
【０１２８】
ステップ４−３：広告受給者は、受給者端末の要求選択画面より「受給会員登録要求」を選択する。
【０１２９】
ステップ４−４：受給者端末の要求選択画面において、「受給会員登録要求」が選択されると、広告配信サーバ１０４の受給者受付手段２は、受給者端末に対し図２１に示す受給会員登録要求画面を出力する。
【０１３０】
ステップ４−５：広告受給者は、受給者端末の受給会員登録要求画面より受給地域を入力する。
【０１３１】
ステップ４−６：広告配信サーバ１０４の受給者受付手段２では、受給者端末からの送信されてきたパケットから受給者のＩＰアドレスを取得し、受給会員登録要求画面で入力された受給地域と対応させて受給地域−ＩＰアドレス対応データベース９に保存する。
【０１３２】
次に、図１９（ｂ）を用いて広告供給者の供給者端末からのアクセスに対する広告配信サーバ１０４の動作について説明する。
【０１３３】
ステップ４−７：広告供給者は供給者端末を介して広告配信サーバ１０４にアクセスする。
【０１３４】
ステップ４−８：供給者端末からのアクセスに対し、広告配信サーバ１０４は、要求選択画面を供給者端末に出力する。
【０１３５】
ステップ４−９：広告供給者は、供給者端末の要求選択画面より「広告供給要求」を選択する。
【０１３６】
ステップ４−１０：供給者端末の要求選択画面において「広告供給要求」が選択されると、広告配信サーバ１０４の供給者受付手段１は、供給者端末に対し図２２に示す広告供給要求画面を出力する。
【０１３７】
ステップ４−１１：広告供給者は、供給者端末の広告供給要求画面において供給地域、広告データ、クレジット番号を入力する。
【０１３８】
ステップ４−１２：広告配信サーバ１０４の広告料集金手段２０は、広告供給要求画面より入力されたクレジット番号に基づいて広告料の集金処理を行う。
【０１３９】
ステップ４−１３：広告配信サーバ１０４のＩＰアドレス抽出手段１１は、広告供給者によって入力された供給地域と同じ地域の受給地域に対応するＩＰアドレスを受給地域−ＩＰアドレス対応データベース９から抽出する。
【０１４０】
ステップ４−１４：広告配信サーバ１０４の広告配信手段１８は、ＩＰアドレス抽出手段１１において抽出したＩＰアドレスに対して、供給者受付手段１で受付けた広告データを配信する。
【０１４１】
以上のように本実施の形態によれば、広告受給者が一度会員登録すれば、受給地域−ＩＰアドレス対応データベース９によって記憶されるので、広告供給者が広告データを登録すると、広告受給者の希望する地域の広告を配信することができる。
【０１４２】
（実施の形態５）
本発明の実施の形態５について説明する。
【０１４３】
図２３は、本発明の実施の形態５における広告配信システムの構成図であり、広告配信サーバ１０５の構成について説明する。なお、図示していないが広告配信サーバ１０５は、広告供給者の使用する供給者端末、広告受給者の使用する受給者端末とインターネット等の広域通信ネットワークによって接続されている。
【０１４４】
図２３において、１６は、広告配信サーバ１０５の提供者が設定する広告配信条件を設定する配信条件設定手段である。
【０１４５】
１０は、配信条件設定手段１６により設定された広告配信条件を保存する広告配信条件データベースである。
【０１４６】
１は、広告供給者の広告供給要求、供給会員登録要求に対するインターフェースを供給者端末に提供する供給者受付手段である。
【０１４７】
３は、供給者受付手段１において、各データを保存する供給会員データベースである。
【０１４８】
２０は、供給者受付手段１により登録を受付けた広告供給者に対し、広告料を集金する広告料集金手段である。
【０１４９】
２は、広告受給者の広告受給要求、受給会員登録要求に対するインターフェースを受給者端末に提供する受給者受付手段である。
【０１５０】
５は、受給者受付手段２による受給会員登録要求において、各入力データを保存する受給会員データベースである。
【０１５１】
１７は、受給者受付手段２による広告受給要求、供給者受付手段による広告供給要求があった場合、広告配信条件データベース１０に保存された広告配信条件を満たすかを判断する配信条件判断手段である。
【０１５２】
１５は、受給者受付手段２による広告受給要求、供給者受付手段による広告供給要求があり、広告配信条件データベース１０に保存された広告配信条件を満たした場合、受給会員データベース５から受給地域を抽出する受給地域抽出手段である。
【０１５３】
受給地域抽出手段１５から抽出した受給地域と同じ地域を示す供給地域に対応する広告データで、かつ、受給会員データベース５に保存されている要望を満たす広告データを供給会員データベース１３から抽出する広告抽出手段である。
【０１５４】
１８は、広告受給者の広告受給要求に対して、広告抽出手段１３により抽出した広告データを受給者端末に配信する広告配信手段である。
【０１５５】
以上のように構成された広告配信システムの動作について図２４を用いて説明する。
【０１５６】
図２４は、本発明の実施の形態５における広告配信システムの動作フローチャートである。
【０１５７】
まず、図２４（ａ）を用いて広告配信サーバ１０５の管理者の設定作業について説明する。
【０１５８】
ステップ５−１：広告配信サーバ１０５の配信条件設定手段１６は、広告配信サーバ１０５の管理者によって入力された広告配信条件を広告配信条件データベース１０に保存する。広告配信条件としては、「最初にアクセスされた１回目のみ広告を配信する」といったことを設定し、後述する配信条件判断手段１７によって判断を行う等が考えられる。
【０１５９】
次に、図２４（ｂ）を用いて広告供給者の供給者端末からのアクセスに対する広告配信サーバ１０５の動作について説明する。
【０１６０】
ステップ５−２：広告供給者は供給者端末を介して広告配信サーバ１０５にアクセスする。
【０１６１】
ステップ５−３：広告配信サーバ１０５は、供給者端末に図１４に示す要求選択画面を出力する。
【０１６２】
ステップ５−４：広告供給者は、供給会員登録が未登録であれば、供給者端末の要求選択画面において「供給会員登録要求」を選択する。さもなければ、要求選択画面において「広告供給要求」を選択する。
【０１６３】
ステップ５−５：供給者端末の要求選択画面において「供給会員登録要求」が選択されると、広告配信サーバ１０５の供給者受付手段１は、供給者端末に対し図１５に示す供給会員登録要求画面を出力する。
【０１６４】
ステップ５−６：広告供給者は、供給者端末の供給会員登録要求画面より希望会員ＩＤ、供給地域、広告種別、営業時間、クレジット番号を入力する。
【０１６５】
ステップ５−７：広告配信サーバ１０５の供給者受付手段１は、供給会員登録要求画面より入力された会員ＩＤ、供給地域、広告種別、営業時間、クレジット番号を供給会員データベース３に保存する。
【０１６６】
ステップ５−８：供給者端末の要求選択画面において「広告供給要求」が選択されると、広告配信サーバ１０５の供給者受付手段１は、供給者端末に対し図１６に示す広告供給要求画面を出力する。
【０１６７】
ステップ５−９：広告供給者は、供給者端末の広告供給要求画面より供給会員ＩＤと広告データを入力する。
【０１６８】
ステップ５−１０：広告配信サーバ１０５の供給者受付手段１は、広告供給要求画面より入力された広告データを供給会員データベース３に保存する。
ステップ５−１１：供給者受付手段１より供給会員データベース３にデータ保存が終了すると、広告配信サーバ１０５の広告料集金手段２０は、供給会員データベース３に保存されている供給者クレジット番号に基づいて、広告料の集金処理を行う。
【０１６９】
次に、図２４（ｃ）を用いて広告受給者の受給者端末からのアクセスに対する広告配信サーバ１０５の動作について説明する。
【０１７０】
ステップ５−１２：広告受給者は受給者端末を介して広告配信サーバ１０５にアクセスする。
【０１７１】
ステップ５−１３：広告配信サーバ１０５は、受給者端末に要求選択画面を出力する。
【０１７２】
ステップ５−１４：広告受給者は、受給会員登録が未登録であれば、受給者端末の要求選択画面において「受給会員登録要求」を選択する。さもなければ、要求選択画面において「広告受給要求」を選択する。
【０１７３】
ステップ５−１５：受給者端末の要求選択画面において「受給会員登録要求」が選択されると、広告配信サーバ１０５の受給者受付手段２は、受給者端末に対し図１７に示す受給会員登録要求画面を出力する。
【０１７４】
ステップ５−１６：広告受給者は、受給者端末の受給会員登録要求画面より希望会員ＩＤ、受給地域、広告種別、営業時間を入力する。
【０１７５】
ステップ５−１７：広告配信サーバ１０５の受給者受付手段２は、受給会員登録要求画面より入力された会員ＩＤや各データを対応させて受給会員データベース５に保存する。
【０１７６】
ステップ５−１８：受給者端末の要求選択画面において「広告受給要求」が選択されると、広告配信サーバ１０５の受給者受付手段２は、受給者端末に対し図１１に示す広告受給要求画面を出力する。
【０１７７】
ステップ５−１９：広告受給者は、広告受給要求画面において受給会員ＩＤを入力する。
【０１７８】
ステップ５−２０：広告配信サーバ１０５の配信条件判断手段１７は、受給者受付手段２による広告配信要求、供給者受付手段１による広告供給要求がされた場合、広告配信条件データベース１０に保存された広告配信条件を満たすかどうかを判断する。
【０１７９】
ステップ５−２１：広告配信サーバ１０５の受給地域抽出手段１５は、配信条件判断手段１７において条件が成立した場合、受給者受付手段２において入力された受給会員ＩＤに対応する受給地域を受給会員データベース５から抽出する。
【０１８０】
ステップ５−２２：広告配信サーバ１０５の広告抽出手段１３は、受給地域抽出手段１５において抽出した受給地域と同じ地域に対応する広告データを供給会員データベース３から抽出する。
【０１８１】
ステップ５−２３：広告配信サーバ１０５の広告配信手段１８は、抽出した広告データを受給者端末に配信する。
【０１８２】
以上のように本実施の形態によれば、広告供給者によって供給要求された広告データを広告受給者へ配信する際に、広告配信サーバ１０５の提供者が設定した広告配信条件に基づいて配信する否かを判断することができる。
【０１８３】
（実施の形態６）
本発明の実施の形態６について説明する。
【０１８４】
図２５は、本発明の実施の形態６における広告配信システムの構成図であり、広告配信サーバ１０６の構成を示している。なお、図示していないが広告配信サーバ１０７は、広告供給者の使用する供給者端末、広告受給者の使用する受給者端末とインターネット等の広域通信ネットワークによって接続されている。
【０１８５】
図２５において、２は、広告受給者の受給者端末に対し受給会員登録要求に対するインターフェースを提供する受給者受付手段である。
【０１８６】
６は、受給者受付手段２による受給会員登録要求において、受給条件を保存する広告受給条件データベースである。
【０１８７】
５は、受給者受付手段２による受給会員登録要求において、各入力データを保存する受給会員データベースである。
【０１８８】
１は、広告供給者の供給者端末に対し広告供給要求、供給会員登録要求に対するインターフェースを提供する供給者受付手段である。
【０１８９】
３は、供給者受付手段１において、各データを保存する供給会員データベースである。
【０１９０】
２０は、供給者受付手段１により登録を受付けた広告供給者に対し、広告料を集金する広告料集金手段である。
【０１９１】
１２は、供給会員データベース３に保存された供給希望地域と、受給会員データベース５に保存された受給希望地域とが同じである受給会員と供給会員を抽出する会員抽出手段である。
【０１９２】
１７は、会員抽出手段１２により抽出した受給会員の広告受給条件データベース６に保存されている広告受給条件をもとに、広告を配信するかどうかを判断する配信条件判断手段である。
【０１９３】
配信条件判断手段１７により条件が成立した場合、会員抽出手段１２で抽出した供給会員の供給会員データベース３に保存されている広告データを抽出する広告抽出手段である。
【０１９４】
１８は、会員抽出手段１２で抽出した受給会員の受給者端末に対して広告を配信する広告配信手段である。
【０１９５】
以上のように構成された広告配信システムの動作について図２６を用いて説明する。
【０１９６】
図２６は、本発明の実施の形態６における広告配信システムの動作フローチャートである。
【０１９７】
まず、図６（ａ）を用いて広告受給者の受給者端末からのアクセスに対する広告配信サーバ１０６の動作について説明する。
【０１９８】
ステップ６−１：広告受給者は受給者端末を介して広告配信サーバ１０６にアクセスする。
【０１９９】
ステップ６−２：広告配信サーバ１０６は、図１４に示す要求選択画面を受給者端末に出力する。
【０２００】
ステップ６−３：広告受給者は、受給会員登録が未登録であれば、受給者端末の要求選択画面において「受給会員登録要求」を選択する。さもなければ、要求選択画面において「広告受給要求」を選択する。
【０２０１】
ステップ６−４：受給者端末の要求選択画面において「受給会員登録要求」が選択されると、広告配信サーバ１０６の受給者受付手段２は、受給者端末に対し図１７に示す受給会員登録要求画面を出力する。
【０２０２】
ステップ６−５：広告受給者は、受給会員登録要求画面より希望会員ＩＤ、受給地域を入力する。
【０２０３】
ステップ６−６：広告配信サーバ１０６の受給者受付手段２は、受給会員登録要求画面より入力された会員ＩＤや各データを対応させて受給会員データベース５に保存する。
【０２０４】
ステップ６−７：広告配信サーバ１０６の受給者受付手段２は、受給者端末に対し図２７に示す広告受給条件登録画面を出力する。
【０２０５】
ステップ６−８：広告受給者は、広告受給条件登録画面より広告受給条件を入力する。ここで入力される広告受給条件としては、例えば、「スーパーの広告のみ希望」、「特価品に関する広告のみ希望」等である。
【０２０６】
ステップ６−９：広告配信サーバ１０６の受給者受付手段２は、広告受給条件登録画面より入力された広告受給条件を会員毎に広告受給条件データベース６に保存する。
【０２０７】
ステップ６−１０：受給者端末の要求選択画面において「広告受給要求」が選択されると、広告配信サーバ１０６の受給者受付手段２は、受給者端末に対し図１１に示す広告受給要求画面を出力する。
【０２０８】
ステップ６−１１広告受給者は、広告受給要求画面より受給会員ＩＤを入力する。
【０２０９】
ステップ６−１２：広告配信サーバ１０６は広告受給要求画面より入力されたデータを受給会員データベース５に保存し、広告受給要求状態であることを識別する。
【０２１０】
次に、図６（ｂ）を用いて広告供給者の供給者端末からのアクセスに対する広告配信サーバ１０６の動作について説明する。
【０２１１】
ステップ６−１３：広告供給者は、供給者端末を介して広告配信サーバ１０６にアクセスする。
【０２１２】
ステップ６−１４：広告配信サーバ１０６は、供給者端末に要求選択画面を出力する。
【０２１３】
ステップ６−１５：広告供給者は、供給会員登録が未登録であれば、要求選択画面において「供給会員登録要求」を選択する。さもなければ、要求選択画面においてより「広告供給要求」を選択する。
【０２１４】
ステップ６−１６：供給者端末の要求選択画面において「供給会員登録要求」が選択されると、広告配信サーバ１０６の供給者受付手段１は、供給者端末に対し図１５に示す供給会員登録要求画面を出力する。
【０２１５】
ステップ６−１７：広告供給者は、供給会員登録要求画面において希望会員ＩＤ、供給地域、広告種別、営業時間、クレジット番号を入力する。
【０２１６】
ステップ６−１８：広告配信サーバ１０６の供給者受付手段１は、供給会員登録要求画面より入力された会員ＩＤ、供給地域、広告種別、営業時間、クレジット番号を供給会員データベース３に保存する。
【０２１７】
ステップ６−１９：供給者端末の要求選択画面において「広告供給要求」が選択されると、広告配信サーバ１０６の供給者受付手段１は、供給者端末に対し図１６に示す広告供給要求画面を出力する。
【０２１８】
ステップ６−２０：広告供給者は、広告供給要求画面より供給会員ＩＤと広告データを入力する。
【０２１９】
ステップ６−２１：広告配信サーバ１０６の供給者受付手段１は、広告供給要求画面より入力された広告データを供給会員データベース３に保存する。
【０２２０】
ステップ６−２２：供給者受付手段１より供給会員でーたべーすへデータ３への保存が終了すると、広告配信サーバ１０６の広告料集金手段２０は、供給会員データベース３に保存されている供給者のクレジット番号に基づいて広告料の集金処理を行う。
【０２２１】
ステップ６−２３：広告配信サーバ１０６の会員抽出手段１２は、供給者受付手段１による広告供給要求があった場合、供給会員データベース３に保存された供給希望地域と、受給会員データベース５に保存された受給希望地域とが同じである受給会員と供給会員と抽出する。
【０２２２】
ステップ６−２４：広告配信サーバ１０６の配信条件判断手段１７は、会員抽出手段１２で抽出した受給会員の広告受給条件でーたべーすへ保存された広告受給条件を満たすかどうかを判断する。
【０２２３】
ステップ６−２５：広告配信サーバ１０６の広告抽出手段１３は、配信条件判断手段１７により条件が成立した場合、会員抽出手段１２で抽出した供給会員の供給会員データベース３に保存されている広告データを抽出する。
【０２２４】
ステップ６−２６：広告配信サーバ１０６の広告配信手段１８は、抽出した広告データを会員抽出手段１２で抽出した受給者端末へ配信する。
【０２２５】
以上のように本実施の形態によれば、広告供給者によって供給要求された広告データを広告受給者へ配信する際に、あらかじめ受給者が設定した広告受給条件に基づいて配信するか否かを判断することができる。
【０２２６】
（実施の形態７）
本発明の実施の形態７について説明する。
【０２２７】
図２８は、本発明の実施の形態７における広告配信システムの構成図であり、広告配信サーバ１０７について示している。なお、図示していないが広告配信サーバ１０７は、広告供給者の使用する供給者端末、広告受給者の使用する受給者端末とインターネット等の広域通信ネットワークによって接続されている。
【０２２８】
図２８において、２は、広告受給者の受給者端末に受給会員登録要求に対するインターフェースを提供する受給者受付手段である。
【０２２９】
５は、受給者受付手段２による受給会員登録要求において、各入力データを保存する受給会員データベースである。
【０２３０】
１は、広告供給者の供給者端末に広告供給要求、供給会員登録要求に対するインターフェースを提供する供給者受付手段である。
【０２３１】
４は、供給者受付手段１の供給会員登録要求において、供給条件を保存する広告供給条件データベースである。
【０２３２】
３は、供給者受付手段１の供給会員登録要求において、各データを保存する供給会員データベースである。
【０２３３】
２０は、供給者受付手段１により登録を受付けた広告供給者に対し、広告料を集金する広告料集金手段である。
【０２３４】
１２は、供給会員データベース３に保存された供給希望地域と、受給会員データベース５に保存された受給希望地域とが同じである受給会員と供給会員を抽出する会員抽出手段である。
【０２３５】
１７は、会員抽出手段１２により抽出した供給会員の広告供給条件データベース４に保存されている広告供給条件をもとに、広告を配信するかどうかを判断する配信条件判断手段である。
【０２３６】
１３は、配信条件判断手段１７により条件が成立した場合、会員抽出手段１２で抽出した供給会員の供給会員データベース３に保存されている広告データを抽出する広告抽出手段である。
【０２３７】
１８は、会員抽出手段１２で抽出した受給会員の受給者端末に対して広告を配信する広告配信手段である。
【０２３８】
以上のように構成された広告配信システムの動作について図２９を用いて説明する。
【０２３９】
図２９は、本発明の実施の形態７における広告配信システムの動作フローチャートである。
【０２４０】
まず、図２９（ａ）を用いて広告受給者の受給端末からのアクセスに対する広告配信サーバ１０７の動作について説明する。
【０２４１】
ステップ７−１：広告受給者は受給者端末を介して広告配信サーバ１０７にアクセスする。
【０２４２】
ステップ７−２：広告配信サーバ１０７は、受給者端末に対し図１４に示す要求選択画面を出力する。
【０２４３】
ステップ７−３：広告受給者は、受給会員登録が未登録であれば、受給者端末の要求選択画面において「受給会員登録要求」を選択する。さもなければ、要求選択画面において「広告受給要求」を選択する。
【０２４４】
ステップ７−４：受給者端末において「受給会員登録要求」が選択されると、広告配信サーバ１０７の受給者受付手段２は、受給者端末に対し図１７に示す受給会員登録要求画面を出力する。
【０２４５】
ステップ７−５：広告受給者は、受給者端末の受給会員登録要求画面より希望会員ＩＤ、受給地域、広告種別、営業時間を入力する。
【０２４６】
ステップ７−６：広告配信サーバ１０７の受給者受付手段２は、受給会員登録要求画面より入力された会員ＩＤや各データを対応させて受給会員データベース５に保存する。
【０２４７】
ステップ７−７：受給者端末において「広告受給要求」が選択されると、広告配信サーバ１０７の受給者受付手段２は、受給者端末に対し図１１に示す広告受給要求画面を出力する。
【０２４８】
ステップ７−８：広告受給者は、受給者端末の広告受給要求画面より受給会員ＩＤを入力する。
【０２４９】
ステップ７−９：広告配信システムの広告受給要求画面より入力されたデータを受給会員データベース５に保存し、広告受給要求状態であることを識別する。
【０２５０】
次に、図２９（ｂ）を用いて広告供給者の供給者端末からのアクセスに対する広告配信サーバ１０７の動作について説明する。
【０２５１】
ステップ７−１０：広告供給者は供給者端末を介して広告配信サーバ１０７にアクセスする。
【０２５２】
ステップ７−１１：広告配信サーバ１０７は、供給者端末に要求選択画面を出力する。
【０２５３】
ステップ７−１２：広告供給者は、供給会員登録が未登録であれば、供給者端末の要求選択画面において「供給会員登録要求」を選択する。さもなければ、要求選択画面において「広告供給要求」を選択する。
【０２５４】
ステップ７−１３：供給者端末において「供給会員登録要求」が選択されると、広告配信サーバ１０７の供給者受付手段１は、供給者端末に対し図１５に示す供給会員登録要求画面を出力する。
【０２５５】
ステップ７−１４：広告供給者は、供給会員登録要求画面より希望会員ＩＤ、供給地域、広告種別、営業時間、クレジット番号を入力する。
【０２５６】
ステップ７−１５：広告配信サーバ１０７の供給者受付手段１は、供給会員登録要求画面より入力された会員ＩＤ、供給地域、広告種別、営業時間、クレジット番号を供給会員データベース３に保存する。
【０２５７】
ステップ７−１６：広告配信サーバ１０７の供給者受付手段１は、供給者端末に対し図３０に示す広告供給条件登録画面を出力する。
【０２５８】
ステップ７−１７：広告供給者は、供給者端末の広告供給条件登録画面より広告供給条件を入力する。広告供給条件としては、例えば「特定の時間に配信」等の条件が考えられる。
【０２５９】
ステップ７−１８：広告配信サーバ１０７の供給者受付手段１は、広告供給条件登録画面より入力された広告供給条件を広告供給条件データベース４に保存する。
【０２６０】
ステップ７−１９：供給者端末において「広告供給要求」が選択されると、広告配信サーバ１０７の供給者受付手段１は、供給者端末に対し図１６に示す広告供給要求画面を出力する。
【０２６１】
ステップ７−２０：広告供給者は、供給者端末の広告供給要求画面において供給会員ＩＤと広告データを入力する。
【０２６２】
ステップ７−２１：広告配信サーバ１０７の供給者受付手段１は、広告供給要求画面より入力された広告データを供給会員データベース３に保存する。
【０２６３】
ステップ７−２２：供給者受付手段１より供給会員データベース３にデータ保存が終了すると、広告配信サーバ１０８の広告料集金手段２０は、供給会員データベース３に保存されている供給者クレジット番号に基づいて広告料を集金処理する。
【０２６４】
ステップ７−２３：広告配信サーバ１０７の会員抽出手段１２は、供給者受付手段１による広告供給要求があった場合、供給会員データベース３に保存された供給希望地域と、受給会員データベース５に保存された受給希望地域とが同じである受給会員と供給会員と抽出する。
【０２６５】
ステップ７−２４：広告配信サーバ１０７の配信条件判断手段１７は、会員抽出手段１２で抽出した供給会員の広告供給条件でーたべーすへ保存された広告供給条件を満たすかどうかを判断する。
【０２６６】
ステップ７−２５：広告配信サーバ１０７の広告抽出手段１３は、配信条件判断手段１７により条件が成立した場合、会員抽出手段１２で抽出した供給会員の供給会員データベース３に保存されている広告データを抽出する。
【０２６７】
ステップ７−２６：広告配信サーバ１０７の広告配信手段１８は、抽出した広告データを会員抽出手段１２で抽出した受給者端末へ配信する。
【０２６８】
以上のように本実施の形態によれば、広告供給者が設定した広告供給条件が成立する場合に、広告供給者によって入力された広告データを配信することができる。
【０２６９】
（実施の形態８）
図３１は、本発明の実施の形態８における広告配信システムの構成図であり、広告配信サーバ１０８の構成を示している。なお、図示していないが広告配信サーバ１０８は、広告供給者の使用する供給者端末、広告受給者の使用する受給者端末とインターネット等の広域通信ネットワークによって接続されている。
【０２７０】
図３１において、２は、広告受給者の受給者端末に受給会員登録要求に対するインターフェースを提供する受給者受付手段である。
【０２７１】
５は、受給者受付手段２による受給会員登録要求において、各入力データを保存する受給会員データベースである。
【０２７２】
１は、広告供給者の供給者端末に広告供給要求、供給会員登録要求に対するインターフェースを提供する供給者受付手段である。
【０２７３】
３は、供給者受付手段１の供給会員登録要求において、各データを保存する供給会員データベースである。
【０２７４】
１２は、供給会員データベース３に保存された供給希望地域と、受給会員データベース５に保存された受給希望地域とが同じである受給会員と供給会員を抽出する会員抽出手段である。
【０２７５】
１３は、会員抽出手段１２で抽出した供給会員の供給会員データベース３に保存されている広告データを抽出する広告抽出手段である。
【０２７６】
１８は、会員抽出手段で抽出した受給会員の受給者端末に対して広告を配信する広告配信手段である。
【０２７７】
１９は、広告配信手段１８により広告を配信する毎に料金を課金する広告料課金手段である。
【０２７８】
２０は、広告料課金手段１９により課金された料金を集金する広告料集金手段である。
【０２７９】
以上のように構成された広告配信システムの動作について図３２を用いて説明する。
【０２８０】
図３２は、本発明の実施の形態８における広告配信システムの動作フローチャートである。
【０２８１】
まず、図８（ａ）により広告受給者からのアクセスに対応する広告配信サーバ１０８の動作について説明する。
【０２８２】
ステップ８−１：広告受給者は受給者端末を介して広告配信サーバ１０８にアクセスする。
【０２８３】
ステップ８−２：広告配信サーバ１０８は、図１４に示す要求選択画面を受給者端末に対して出力
する。
【０２８４】
ステップ８−３：広告受給者は受給者端末において、受給会員登録が未登録であれば、要求選択画面において「受給会員登録要求」を選択する。さもなければ、要求選択画面において「広告受給要求」を選択する。
【０２８５】
ステップ８−４：受給者端末において「受給会員登録要求」が選択されると、広告配信サーバ１０８の受給者受付手段２は、受給者端末に対し図１７に示す受給会員登録要求画面を出力する。
【０２８６】
ステップ８−５：広告受給者は受給者端末において、受給会員登録要求画面より希望会員ＩＤ、受給地域、広告種別、営業時間を入力する。
【０２８７】
ステップ８−６：広告配信サーバ１０８の受給者受付手段２は、受給会員登録要求画面より入力された会員ＩＤや各データを対応させて受給会員データベース５に保存する。
【０２８８】
ステップ８−７：受給者端末において「広告受給要求」が選択されると、広告配信サーバ１０８の受給者受付手段２は、受給者端末に対し図１１に示す広告受給要求画面を出力する。
【０２８９】
ステップ８−８：広告受給者は受給者端末において、広告受給要求画面より受給会員ＩＤを入力する。
【０２９０】
ステップ８−９：広告配信サーバ１０８は、広告受給要求画面で入力されたデータを受給会員データベース５に保存し、広告受給要求状態であることを識別する。
【０２９１】
次に、図３２（ｂ）を用いて広告受給者の受給者端末よりアクセスがあった場合の広告配信サーバ１０８の動作を説明する。
【０２９２】
ステップ８−１０：広告供給者は供給者端末を介して広告配信サーバ１０８にアクセスする。
【０２９３】
ステップ８−１１：広告配信サーバ１０８は、供給者端末に対し要求選択画面を出力する。
【０２９４】
ステップ８−１２：広告供給者は供給者端末において、供給会員登録が未登録であれば、要求選択画面において「供給会員登録要求」を選択する。さもなければ、要求選択画面において「広告供給要求」を選択する。
【０２９５】
ステップ８−１３：供給者端末において「供給会員登録要求」が選択されると、広告配信サーバ１０８の供給者受付手段１は、供給者端末に対し図１５に示す供給会員登録要求画面を出力する。
【０２９６】
ステップ８−１４：広告供給者は、供給者端末の供給会員登録要求画面より希望会員ＩＤ、供給地域、広告種別、営業時間、クレジット番号を入力する。
【０２９７】
ステップ８−１５：広告配信サーバ１０８の供給者受付手段１は、供給会員登録要求画面より入力された会員ＩＤ、供給地域、広告種別、営業時間、クレジット番号を供給会員データベース３に保存する。
【０２９８】
ステップ８−１６：供給者端末において「広告供給要求」が選択されると、広告配信サーバ１０８の供給者受付手段１は、供給者端末に対し図１６に示す広告供給要求画面を出力する。
【０２９９】
ステップ８−１７：広告供給者は、供給者端末の広告供給要求画面より供給会員ＩＤと広告データを入力する。
【０３００】
ステップ８−１８：広告配信サーバ１０８の供給者受付手段１は、広告供給要求画面より入力された広告データを供給会員データベース５に保存する。
【０３０１】
ステップ８−１９：広告配信サーバ１０８の会員抽出手段１２は、供給者受付手段１における広告供給要求があった場合、供給会員データベース３に保存された供給希望地域と、受給会員データベース５に保存された受給希望地域とが同じである受給会員と供給会員を抽出する。
【０３０２】
ステップ８−２０：広告配信サーバ１０８の広告抽出手段１３は、会員抽出手段１２で抽出した供給会員の供給会員データベース３に保存されている広告データを抽出する。
【０３０３】
ステップ８−２１：広告配信サーバ１０８の広告配信手段１８は、会員抽出手段１２で抽出した受給会員の受給者端末へ広告を配信する。
【０３０４】
ステップ８−２２：広告配信サーバ１０８の広告料課金手段１９は、広告配信手段１８において広告が配信される毎に広告料金を課金する。
【０３０５】
ステップ８−２３：広告配信サーバ１０８の広告料集金手段２０は、広告料課金手段１９において課金された広告料金を、広告供給者のクレジット番号に基づいて集金処理を行う。
【０３０６】
以上のように本実施の形態によれば、受給者端末へ広告データが配信される毎に、広告料課金手段１９によって供給者に広告料金を課金することにより、広告の配信数に応じた広告料を請求することができる。
【０３０７】
【発明の効果】
以上説明したように本発明によれば、供給者端末より受信した広告データを受給者端末へ配信する広告配信装置であって、供給者端末より受信した広告データと供給希望地域とを対応させて記憶する記憶手段と、受給者端末から受給希望地域を受信すると、当該受給希望地域と同じ地域を示す供給地域に対応する広告データを前記記憶手段から抽出する広告抽出手段と、広告抽出手段により抽出した広告データを受給者端末へ配信する広告配信手段と、を有する構成としたことにより、広告供給者が望む広告供給地域と広告受給者が望む広告受給地域の一致によって広告データを配信することができ、供給者に対しても受信者に対しても有益な広告データの配信を実現できる。
【０３０８】
また、供給者端末より受信した広告データを受給者端末へ配信する広告配信装置であって、供給者端末より受信した広告データと供給希望地域とを対応させて記憶する記憶手段と、受給者端末より受信した受給希望地域を受給者識別情報と対応させて記憶する第２の記憶手段と、受給者端末より受給者識別情報を受信すると、当該受給会員識別情報に基づいて第２の記憶手段を検索し、受給地域を抽出する受給地域抽出手段と、受給地域抽出手段により抽出した受給地域と同じ地域を示す供給地域に対応する広告データを前記記憶手段から抽出する広告抽出手段と、広告抽出手段により抽出した広告データを受給者端末へ配信する広告配信手段と、を有する構成としたことにより、広告受給者の希望する地域を記憶でき、広告要求時に受給者は受給希望地域を入力する必要が無く、受給者の操作負担が軽減される。
【０３０９】
また、供給者端末より受信した広告データを受給者端末へ配信する広告配信装置であって、供給者端末より受信した広告データと供給希望地域とを対応させて記憶する記憶手段と、受給者端末より受信した受給希望地域、要望情報を受給者識別情報と対応させて記憶する第２の記憶手段と、受給者端末より受給者識別情報を受信すると、当該受給会員識別情報に基づいて第２の記憶手段を検索し、受給地域と要望情報を抽出する抽出手段と、抽出手段から抽出した受給地域と同じ地域を示す供給地域に対応する広告データで、且つ要望情報の要望を満たす広告データを前記記憶手段から抽出する広告抽出手段と、広告抽出手段により抽出した広告データを受給者端末へ配信する広告配信手段と、を有する構成としたことにより、地域だけでなく広告受給者の要望にマッチした広告を配信することができ、受給者にとっての利便性が向上する。
【０３１０】
また、供給者端末より受信した広告データを受給者端末へ配信する広告配信装置であって、供給者端末より受信した広告データと供給希望地域とを対応させて記憶する記憶手段と、受給者端末より受信した受給希望地域と受給者ＩＰアドレスを対応させて記憶する第２の記憶手段と、供給者端末より受信した供給希望地域と同じ地域を示す受給地域に対応する受給者ＩＰアドレスを第２の記憶手段から抽出するＩＰアドレス抽出手段と、ＩＰアドレス抽出手段により抽出した受給者ＩＰアドレスに対し、記憶手段の供給希望地域に対応する広告データを配信する広告配信手段と、を有する構成としたことにより、受給者の要求ではなく、広告供給者が広告を登録すると受給者の希望する地域の広告を配信することができ、受給者が広告要求する必要が無く、受給者の利便性が向上する。
【０３１１】
また、供給者端末より受信した広告データを受給者端末へ配信する広告配信装置であって、管理者より設定される広告配信条件を記憶する配信条件記憶手段と、供給者端末より受信した広告データと供給希望地域とを対応させて記憶する記憶手段と、受給者端末より受信した受給希望地域を受給者識別情報と対応させて記憶する第２の記憶手段と、広告配信要求を受信すると、配信条件記憶手段に記憶された広告配信条件を満たすか否かを判断する配信条件判断手段と、配信条件判断手段により広告配信条件を満たすと判断した場合、第２の記憶手段から受給希望地域を抽出する受給地域抽出手段と、受給地域抽出手段から抽出した受給希望地域と同じ地域を示す供給地域に対応する広告データを記憶手段から抽出する広告抽出手段と、広告抽出手段により抽出した広告データを受給者端末へ配信する広告配信手段と、を有する構成としたことにより、管理者の設定に基づく広告データの配信を行うことができ、管理者が広告データの配信制御を決定することができる。
【０３１２】
また、供給者端末より受信した広告データを受給者端末へ配信する広告配信装置であって、供給者端末より受信した広告データと供給希望地域とを対応させて記憶する記憶手段と、受給者端末より受信した受給希望地域、広告受給条件を受給者識別情報と対応させて記憶する第２の記憶手段と、供給者端末より広告データの登録があると、当該登録された広告データの供給希望地域と一致する受給希望地域を有する受給者識別情報を前記第２の記憶手段から抽出する会員抽出手段と、会員抽出手段により抽出された受給者の広告受給条件が登録された広告データに当てはまるか否かを判断する配信条件判断手段と、配信条件判断手段により当てはまると判断された受給者の受給者端末に対して登録された広告データを配信する広告配信手段と、を有する構成としたことにより、受給者からの要求なしで広告データを配信するに当たって、予め受給者が設定した広告受給条件を元に配信するかどうかを決定することができ、受給者は広告要求せずとも自分にとって必要な広告データを得ることができる。
【０３１３】
また、供給者端末より受信した広告データを受給者端末へ配信する広告配信装置であって、供給者端末より受信した広告データ、供給希望地域、広告供給条件を対応させて記憶する記憶手段と、受給者端末より受信した受給希望地域、要望情報を受給者識別情報と対応させて記憶する第２の記憶手段と、供給者端末より広告データの登録があると、当該登録された広告データの供給希望地域と一致する受給希望地域を有する受給者識別情報を前記第２の記憶手段から抽出する会員抽出手段と、登録された広告データが、当該登録データの供給者の広告供給条件に当てはまるか否かを判断する配信条件判断手段と、配信条件判断手段により当てはまると判断された場合、会員抽出手段で抽出された受給者の受給者端末に対して登録された広告データを配信する広告配信手段と、を有する構成としたことにより、広告データの配信に際して、広告供給者が設定した広告供給条件元に配信するかどうかを決定することができ、供給者の意図した広告データの配信を実現できる。
【０３１４】
また、広告配信手段により受給者端末へ広告データが配信される毎に、当該広告データの供給者への課金処理を行う課金手段を有する構成としたことにより、広告の配信数に対し広告料の請求を行うことができる。
【図面の簡単な説明】
【図１】本発明の実施の形態１における広告配信システムの構成図
【図２】本発明の実施の形態１における広告配信システムの動作フローチャート
【図３】本発明の実施の形態１における要求選択画面を示す図
【図４】本発明の実施の形態１における供給要求画面を示す図
【図５】本発明の実施の形態１における受給要求画面を示す図
【図６】本発明の実施の形態２における広告配信システムの構成図
【図７】本発明の実施の形態２における広告配信システムの動作フローチャート
【図８】本発明の実施の形態２における要求選択画面を示す図
【図９】本発明の実施の形態２における供給要求画面を示す図
【図１０】本発明の実施の形態２における受給会員登録要求画面を示す図
【図１１】本発明の実施の形態２における受給要求画面を示す図
【図１２】本発明の実施の形態３による広告配信システムの構成図
【図１３】本発明の実施の形態３による広告配信システムの動作を示すフローチャート
【図１４】本発明の実施の形態３における要求選択画面を示す図
【図１５】本発明の実施の形態３における供給会員登録要求画面を示す図
【図１６】本発明の実施の形態３における供給要求画面を示す図
【図１７】本発明の実施の形態３における受給会員登録要求画面を示す図
【図１８】本発明の実施の形態４における広告配信システムの構成図
【図１９】本発明の実施の形態４による広告配信システムの動作フローチャート
【図２０】本発明の実施の形態４における要求選択画面を示す図
【図２１】本発明の実施の形態４における受給会員登録画面を示す図
【図２２】本発明の実施の形態４における供給要求画面を示す図
【図２３】本発明の実施の形態５における広告配信システムの構成図
【図２４】本発明の実施の形態５における広告配信システムの動作フローチャート
【図２５】本発明の実施の形態６における広告配信システムの構成図
【図２６】本発明の実施の形態６における広告配信システムの動作フローチャート
【図２７】本発明の実施の形態６における受給条件登録画面を示す図
【図２８】本発明の実施の形態７における広告配信システムの構成図
【図２９】本発明の実施の形態７における広告配信システムの動作フローチャート
【図３０】本発明の実施の形態７における供給条件登録画面を示す図
【図３１】本発明の実施の形態８による広告配信システムの構成図
【図３２】本発明の実施の形態８による広告配信システムの動作フローチャート
【符号の説明】
１　供給者受付手段
２　受給者受付手段
３　供給会員データベース
４　広告供給条件データベース
５　受給会員データベース
６　広告受給条件データベース
７　供給地域−広告データ対応データベース
８　受給会員ＩＤ−受給地域対応データベース
９　受給地域−ＩＰアドレス対応データベース
１０　広告配信条件データベース
１１　ＩＰアドレス抽出手段
１２　会員抽出手段
１３　広告抽出手段
１４　受給者要望抽出手段
１５　受給地域抽出手段
１６　配信条件設定手段
１７　配信条件判断手段
１８　広告配信手段
１９　広告料課金手段
２０　広告料集金手段
【図１】
2004062576.tif 000003
【図２】
2004062576.tif 000004
【図３】
2004062576.tif 000005
【図４】
2004062576.tif 000006
【図５】
2004062576.tif 000007
【図６】
2004062576.tif 000008
【図７】
2004062576.tif 000009
【図８】
2004062576.tif 000010
【図９】
2004062576.tif 000011
【図１０】
2004062576.tif 000012
【図１１】
2004062576.tif 000013
【図１２】
2004062576.tif 000014
【図１３】
2004062576.tif 000015
【図１４】
2004062576.tif 000016
【図１５】
2004062576.tif 000017
【図１６】
2004062576.tif 000018
【図１７】
2004062576.tif 000019
【図１８】
2004062576.tif 000020
【図１９】
2004062576.tif 000021
【図２０】
2004062576.tif 000022
【図２１】
2004062576.tif 000023
【図２２】
2004062576.tif 000024
【図２３】
2004062576.tif 000025
【図２４】
2004062576.tif 000026
【図２５】
2004062576.tif 000027
【図２６】
2004062576.tif 000028
【図２７】
2004062576.tif 000029
【図２８】
2004062576.tif 000030
【図２９】
2004062576.tif 000031
【図３０】
2004062576.tif 000032
【図３１】
2004062576.tif 000033
【図３２】
2004062576.tif 000034